(57)【要約】【課題】プランターを室内に載置してインテリアの一部として使用できるようにする装飾性を具備したプランターカバーを提供すること。【解決手段】上記課題を解決するために本発明のプランターカバー１は、プランター３の前面及び背面を覆う化粧パネル５と、プランター３の左右両側面を覆う側面パネル７と、これらを連結する飾りボルト３７及び蝶ナット４１とを備え、化粧パネル５と側面パネル７は適宜の色彩ないし平面模様が施された合成樹脂材料によって形成され、更に表面には浮き彫り模様が形成されており、尚且つ化粧パネル５あるいは側面パネル７の一部には意匠が施された別体の飾り嵌め板１７が設けられている。またプランター３の大きさや設置個数に応じて組立形態や配設形態を変え、容積を拡大できるようにした。【選択図】              図１
2004267324.tif 000002
【特許請求の範囲】
【請求項１】
プランターの前面及び背面を覆う化粧パネルと、プランターの左右両側面を覆う側面パネルと、これらを連結する固定手段とを備える分解可能なプランターカバーにおいて、化粧パネルと側面パネルは適宜の色彩ないし平面模様が施された合成樹脂材料によって形成されると共に、これらの表面には浮き彫り模様が形成されており、尚且つ化粧パネルあるいは側面パネルの一部には意匠が施された別体の飾り嵌め板が設けられていることを特徴とするプランターカバー。
【請求項２】
請求項１に記載のプランターカバーにおいて、化粧パネルと側面パネルはプランターの大きさや設置個数等に応じて組立形態を変え、幅方向ないし奥行き方向に容積を拡大し得るように構成されていることを特徴とするプランターカバー。
【請求項３】
請求項１または２に記載のプランターカバーにおいて、化粧パネルと側面パネルによって囲まれたプランターカバーの上部には、プランターカバーの内周縁部を覆い隠す縁枠が設けられていることを特徴とするプランターカバー。
【請求項４】
請求項３に記載のプランターカバーにおいて、縁枠は同形状の２枚の枠要素を組み合わせることによって構成されており、各枠要素の周縁部内方には、プランターに植えられた植物をライトアップするための発光ダイオードが設けられていることを特徴とするプランターカバー。
【請求項５】
請求項４に記載のプランターカバーにおいて、発光ダイオードの近傍には観賞者方向への光の拡散を防止すると共に、植物を照らす光量を増大する遮光反射部材と、光の照射角度を上下左右に可変し得る角度調整機構とが設けられていることを特徴とするプランターカバー。
【請求項６】
請求項１〜５のいずれかに記載のプランターカバーにおいて、化粧パネルと側面パネルによって囲まれたプランターカバーの内部には、消臭や芳香等の機能をプランターカバーに付与する機能性材料と、植物の生長を促進するマイナスイオン発生器のいずれか一方または双方が設けられていることを特徴とするプランターカバー。
【発明の詳細な説明】
【０００１】
【発明の属する技術分野】
本発明は、例えば観賞用に植物を植え込んだプランターをそのまま室内に入れて載置する場合に使用できる、プランター周面を覆うプランターカバーに関するものである。
【０００２】
【従来の技術】
玄関や庭先あるいはベランダ等を草花木によって彩る場合、場所を選ばず、どこでも気軽に設置でき、移動の容易なプランターが多く使用されている。しかし、プランターは本来、屋外に設置されるものであり、その表面は雨風に晒されて泥水等が掛かり、その多くは汚れている。また常に太陽光線を浴びていることから褪色が激しく、そのままでは室内に持ち込んで、インテリアの一部に組み込むだけの観賞には到底耐えられない。
【０００３】
この場合、新しいプランターを別途用意しておき、その草花木を新しいプランターに植え替えることも考えられるが、植え替えに際して草花木を傷付け、生育に支障を来たすことがあり、また植え替えの手間が掛かることもあって、あまり採用されていない。またプランター自体もインテリアの一部に組み込むことを目的に作られているものではなく、これに見合うだけの装飾性を具備するものは極めて少ない。
【０００４】
【発明が解決しようとする課題】
そこで本発明は、かかる問題点の解決を図るべく検討を重ね、植物の植えられたプランターを室内に持ち込んで載置する場合に使用でき、インテリアの一部としての観賞にも充分耐えられるだけの装飾性を具備したプランターカバーを提供することを目的とする。
【０００５】
【課題を解決するための手段】
上記課題を解決するために請求項１記載の発明は、プランターの前面及び背面を覆う化粧パネルと、プランターの左右両側面を覆う側面パネルと、これらを連結する固定手段とを備える分解可能なプランターカバーにおいて、化粧パネルと側面パネルは適宜の色彩ないし平面模様が施された合成樹脂材料によって形成されると共に、これらの表面には浮き彫り模様が形成されており、尚且つ化粧パネルあるいは側面パネルの一部には意匠が施された別体の飾り嵌め板が設けられていることを特徴とするプランターカバーである。
【０００６】
請求項２記載の発明は、請求項１に記載のプランターカバーにおいて、化粧パネルと側面パネルはプランターの大きさや設置個数等に応じて組立形態を変え、幅方向ないし奥行き方向に容積を拡大し得るように構成されていることを特徴とするプランターカバーである。
【０００７】
請求項３記載の発明は、請求項１または２に記載のプランターカバーにおいて、化粧パネルと側面パネルによって囲まれたプランターカバーの上部には、プランターカバーの内周縁部を覆い隠す縁枠が設けられていることを特徴とするプランターカバーである。
【０００８】
請求項４記載の発明は、請求項３に記載のプランターカバーにおいて、縁枠は同形状の２枚の枠要素を組み合わせることによって構成されており、各枠要素の周縁部内方には、プランターに植えられた植物をライトアップするための発光ダイオードが設けられていることを特徴とするプランターカバーである。
【０００９】
請求項５記載の発明は、請求項４に記載のプランターカバーにおいて、発光ダイオードの近傍には観賞者方向への光の拡散を防止すると共に、植物を照らす光量を増大する遮光反射部材と、光の照射角度を上下左右に可変し得る角度調整機構とが設けられていることを特徴とするプランターカバーである。
【００１０】
請求項６記載の発明は、請求項１〜５のいずれかに記載のプランターカバーにおいて、化粧パネルと側面パネルによって囲まれたプランターカバーの内部には、消臭や芳香等の機能をプランターカバーに付与する機能性材料と、植物の生長を促進するマイナスイオン発生器のいずれか一方または双方が設けられていることを特徴とするプランターカバーである。
【００１１】
【発明の実施の形態】
以下、本発明の実施の形態について図面に基づいて具体的に説明する。
プランターカバー１はプランター３の前面及び背面を覆う２枚の化粧パネル５と、プランター３の左右の両側面を覆う２枚の側面パネル７とを矩形枠状に組み立てることによって形成されるカバー本体９を有している。
カバー本体９の構成部材である化粧パネル５と側面パネル７は、射出成形を行うことのできる各種の合成樹脂材料が使用でき、本実施の形態では一例として耐熱性、耐衝撃性に優れ、透明で発色性にも優れるポリカーボネートを使用した。また本実施の形態ではこのものに顔料等を加えて適宜の色彩ないし平面模様がその表面に現われるようにしている。本実施の形態では白とグレーの２色の顔料を斑状に混合することによって大理石様の平面模様を創出した。
【００１２】
また化粧パネル５と側面パネル７の表面には、図示のような花を基調とした浮き彫り模様が形成されている。
化粧パネル５の中央には、前面ないし背面から見て正方形状の取付凹部１１が形成されている。取付凹部１１は図６に示すように段差状に形成されており、口径の小さな小径凹部１３と、その周りに形成された口径の大きな大径凹部１５とからなっている。
また取付凹部１１の中心には、次に述べる飾り嵌め板１７裏面の取付ボルト１９を受け入れる取付穴２１が貫通状態で設けられている。
【００１３】
飾り嵌め板１７は表面に図柄等が施された例えばセラミックス製のタイル状部材によって構成されている。飾り嵌め板１７は正面から見て正方形状の板状の部材であり、１００ｍｍ角と１５０ｍｍ角の大きさの違う２種類の飾り嵌め板１７が予め用意されている。
上述の大径凹部１５が大きめの飾り嵌め板１７を嵌め込む場合に使用し、小径凹部１３が小さめの飾り嵌め板１７を嵌め込む場合に使用する。飾り嵌め板１７の裏面中央には、取付ボルト１９が板面に対して垂直に突出するように設けられている。
この取付ボルト１９は取付凹部１１の中心に刻設されている上述の取付穴２１を貫通し、化粧パネル５の裏面において取付ナット２３によって固定されている。
【００１４】
またカバー本体９の組み立てに際しては、側面パネル７の裏面に突出している耳部２５と、固定手段としての飾りボルト３７及び蝶ナット４１とが使用される。耳部２５は化粧パネル５の内壁面に沿うように垂直に延びる固定部２７と、同様のプランターカバー１を図１０に示すように積み重ねて使用する場合に上方のプランターカバー１の脚部２９を支えるための台座部３１とを有している。このうち固定部２７には図７に示すように固定穴３３が形成されている。
【００１５】
固定穴３３には、化粧パネル５の表面側から挿嵌される飾りボルト３７が化粧パネル５の四隅に刻設されている貫通穴３９を通って進入する。尚、飾りボルト３７は図示のように花を模した装飾頭部３５を備えている。そして飾りボルト３７は蝶ナット４１によって締め込まれ、化粧パネル５と側面パネル７は図１に示すように矩形枠状に組み立てられる。
一方、台座部３１は図３に示すように平面視楔形の板状部材であり、固定部２７に対して直角で、カバー本体９の内側に張り出すようにして設けられている。
脚部２９は後面が開放された中空の直方体形状を有しており、上記耳部２５と同様、側面パネル７と一体に形成されている。
【００１６】
プランターカバー１の上部にはカバー本体９の内周縁部を覆い隠す縁枠４３が設けられている。縁枠４３は同形状の２枚の枠要素４５を組み合わせることによって構成される分割式の構造を有している。
枠要素４５は平面視凹字状ないし偏平なＵ字状をしており、端部に形成される係合手段４７を利用して矩形枠状の縁枠４３に組み立てられる。枠要素４５の周縁部４９は上方に向けて折り曲げられており、図５に示すようにカバー本体９と縁枠４３間にできる隙間を塞いでいる。
【００１７】
また周縁部４９の外方には、図３に示すように各枠要素４５につき４個ずつ、庇状に張り出した係止爪５１が設けられている。また枠要素４５の周縁部４９の内方近傍にはプランター３に対して植えられた植物Ａを下方からライトアップするための発光ダイオード（以下ＬＥＤという）５３が各枠要素４５に対して６ヶ所ずつ、計１２ヶ所設けられている。
また縁枠４３は側面パネル７の内壁面から左右２個ずつ突出している平板状の支持リブ５７と、前記耳部２５における台座部３１とによって支承されている。
【００１８】
なお、ＬＥＤ５３は発光効率が良く、発熱が極めて小さいので植物Ａを傷めることがなく、プランターカバー１に対して使用するのに好適である。また消費電力が小さいため夜間の常夜灯として、兼用して使用することも可能である。
またＬＥＤ５３の近傍には、観賞者方向への光の拡散を防止すると共に、植物Ａを照らす光量を増大する遮光反射部材５９が設けられている。この遮光反射部材５９によって、ＬＥＤ５３の光はそのほとんどが植物Ａのライトアップに向けられ、植物Ａを明るく、美しく、映し出すと共に、ＬＥＤ５３の光が目に入って眩しいと感じることもない。
またプランター３に植えられる植物Ａの背丈や大きさは植物Ａの種類や生育状況によって種々異なるため、ＬＥＤ５３の照射方向は上下左右に容易に可変できる角度調整機構６５が設けられている。角度調整機構６５は図８に示すように支持部材６７と、ＬＥＤ５３及び遮光反射部材５９と共に回動するホルダ部６９と、両者を回動自在に接続するジョイント部７１とを有している。
またＬＥＤ５３は常時点灯している他、点滅したり、明るさや光の色が徐々に変化したり、必要なとき（例えば夜間）のみ点灯するように構成することも可能である。
【００１９】
またプランターカバー１の内部には、消臭や芳香等の機能を有する機能性材料Ｂや植物の生長促進等に寄与するマイナスイオン発生器６１等を設けることも可能である。機能性材料Ｂとしては消臭剤、芳香剤、殺菌剤、防カビ剤等が一例として使用できる。マイナスイオン発生器６１を設けた場合には、植物Ａの生長を促進させることができる他、その植物が花であれば、開花期間を延ばすことができ、脱臭、抗菌効果も発揮される。
そしてこれらの構成を採用した場合には、プランター３ないし植物Ａに付いた肥料独特の臭いや、あるいは植物Ａに対する病害虫の発生等が防止され、観賞面に加えて機能面でも室内住空間に適合するものとなる。
【００２０】
次にプランターカバー１の組み立てとプランター３の設置の手順及びプランターカバー１の種々の配設態様について説明する。例えば適合した大きさの１つのプランター３に対して適用する場合には、図１〜６に示すように２枚の化粧パネル５と、２枚の側面パネル７とを使用して、これらを矩形枠状に配置する。
次に飾りボルト３７を化粧パネル５の貫通穴３９及び耳部２５における固定穴３３に通し、蝶ナット４１によって固定する。そしてプランター３を載置したい適宜の場所に受皿６３を置き、その上方から受皿６３に被せるようにしてプランターカバー１を設置する。
また適宜の大きさの飾り嵌め板１７を取付凹部１１における小径凹部１３ないし大径凹部１５に対して、前面側及び背面側の化粧パネル５のそれぞれについて取り付け、取付ナット２３によって化粧パネル５の内壁面側から固定する。
このように飾り嵌め板１７が着脱できるので好みの絵柄が施されたタイル等から成る飾り嵌め板１７に交換できる。従って、自己の趣味に合った意匠を楽しむことができるようになる。
【００２１】
またＬＥＤ５３の配線処理を施し、ＬＥＤ５３及び遮光反射部材５９を角度調整機構６５におけるホルダ部６９に固定し、枠要素４５に対して取り付けておく。
更に必要に応じてプランターカバー１の内部に機能性材料Ｂやマイナスイオン発生器６１等を設置し、植物Ａが植えられているプランター３を縁枠４３の内部に形成されている開口上方から落とし込むようにして、受皿６３上に載置する。そして枠要素４５の係止爪５１を化粧パネル５の内壁面上部の突出部下面に係止させるようにして台座部３１及び指示リブ５７上に載置し、係合手段４７によって、２枚の枠要素４５を組み合わせて矩形枠状の縁枠４３とする。
【００２２】
次に奥行き寸法の大きなプランター３あるいはプランター３を複数個奥行き方向に配置したい場合に適用できるプランターカバー１について説明する。この場合にも上記と同様の化粧パネル５と側面パネル７を使用する。
但し、化粧パネル５は上記と同様２枚使用するが、側面パネル７はプランター３の左右側面につき２枚ずつ計４枚使用する。具体的には図９（ａ）に示すように奥行き方向に２枚ずつ側面パネル７を連接し、耳部２５を利用して飾りボルト３７及び蝶ナット４１によって各連接部を固定する。
側面パネル７同士の連接部を固定する場合には、図９（ｂ）の拡大平面図に示すように２個の耳部２５が突き合わせるようになり、例えば蝶ボルトと蝶ナットを使用してこれらを固定する。
【００２３】
またプランター３の高さ寸法がプランターカバー１の高さ寸法に比べて極端に高くなる場合には、図１０に示すように複数のプランターカバー１を上下に積み重ねて配設することで、プランター３の側周面を覆い隠すようにする。
この場合には、耳部２５における台座部３１を利用して台座部３１の上に上方のプランターカバー１における脚部２９を載置することで積み重ねる。図１０では、図９に示す奥行き方向に寸法を拡大したプランターカバー１を使用しているが、図１〜６に示す通常のプランターカバー１を使用することも勿論可能である。
そしてこのようにして組み立てられ、配設されたプランターカバー１を収納する場合には、飾りボルト３７と蝶ナット４１や取付ボルト１９と取付ナット２３とを緩めて各パーツを分解すればコンパクトになり、小さな収納スペースでも余裕を持って収納できる大きさとなる。
【００２４】
以上、本発明の実施の形態について詳述してきたが、具体的な構成はこの実施の形態に限られるものではなく、本発明の要旨を逸脱しない範囲における設計の変更などがあっても本発明に含まれる。
例えば飾り嵌め板１７は前面及び背面に設けられる化粧パネル５のうち、前面の化粧パネル５のみに設けるようにすることも可能であるし、側面パネル７にも取付凹部１１を形成して、側面パネル７に対しても飾り嵌め板１７を設けるようにすることも可能である。
また飾り嵌め板１７の固定は接着剤等を使用してもよいし、飾り嵌め板１７を透光性を有する材料によって構成し、その内側にＬＥＤ５３を設けてバックライトとして機能させ、飾り嵌め板１７に描かれた図柄等を浮き上がらせるようにすることも可能である。
【００２５】
またすべてをＬＥＤ５３によって構成するのではなく、そのうち一部あるいは全部をオプティカルファイバー等、他の発光体に置換することも可能である。また化粧パネル５や側面パネル７は単一色によって構成することも可能であるし、２色の顔料等で流れ模様を形成し、板目模様を模した模様とすることも可能である。
また耳部２５は側面パネル７側に設ける他、化粧パネル５側に設けることもでき、このようにすれば前面及び背面の化粧パネル５を幅方向に連接して横に長いプランターカバー１とすることが可能となり、側面パネル７の使用枚数を削減して複数のプランター３を幅方向に配置できるようになる。
また脚部２９は側面パネル７側に設ける他、化粧パネル５側に設けることも可能であるし、これらと別体に構成し、適宜の係合手段等を利用することで組立段階で取り付けるようにすることも可能である。
また、蝶ナット４１の代わりに標準ナットを、飾りボルト３７の代わりに標準ボルトを使用してもよい。
【００２６】
【発明の効果】
本発明によれば、プランターを室内に載置してインテリアの一部として使用することが可能となる。またプランターカバー自体の装飾性やライトアップ等の演出によって、より一層、植物に華やかさを与えることができる。
また分解、組立式としたことにより、使用しないときは分解して、コンパクトにして収納することが可能であるし、組立形態をアレンジしたり、配設形態を工夫することによって種々の大きさ、形状、設置個数のプランターに対応できるようになる。
【図面の簡単な説明】
【図１】本発明の実施の形態に係るプランターカバーの使用状態を示す斜視図である。
【図２】図１のプランターカバーの正面図である。
【図３】図１のプランターカバーの平面図である。
【図４】図１のプランターカバーの側面図である。
【図５】図１のプランターカバーの縦断側面図である。
【図６】本発明の実施の形態に係るプランターカバーにおける化粧パネルの長手方向の断面図である。
【図７】本発明の実施の形態に係るプランターカバーにおける側面パネルの縦断側面図である。
【図８】本発明の実施の形態に係るプランターカバーにおける角度調整機構の縦断側面図である。
【図９】組立形態を変え、奥行き方向に容積を拡大した場合を示す斜視図（ａ）及び側面パネルの連接状態を示す拡大断面図（ｂ）である。
【図１０】図９のプランターカバーを積み重ねて使用した配設形態を示す斜視図である。
【符号の説明】
１  プランターカバー                ３  プランター
５  化粧パネル                      ７  側面パネル
９  カバー本体                    １１  取付凹部
１３  小径凹部                      １５  大径凹部
１７  飾り嵌め板                    １９  取付ボルト
２１  取付穴                        ２３  取付ナット
２５  耳部                          ２７  固定部
２９  脚部                          ３１  台座部
３３  固定穴                        ３５  装飾頭部
３７  飾りボルト                    ３９  貫通穴
４１  蝶ナット                      ４３  縁枠
４５  枠要素                        ４７  係合手段
４９  周縁部                        ５１  係止爪
５３  発光ダイオード（ＬＥＤ）      ５７  支持リブ
５９  遮光反射部材                  ６１  マイナスイオン発生器
６３  受皿                          ６５  角度調整機構
６７  支持    部材                  ６９  ホルダ部
７１  ジョイント部                    Ａ  植物
Ｂ  機能性材料
【図１】
2004267324.tif 000003
【図２】
2004267324.tif 000004
【図３】
2004267324.tif 000005
【図４】
2004267324.tif 000006
【図５】
2004267324.tif 000007
【図６】
2004267324.tif 000008
【図７】
2004267324.tif 000009
【図８】
2004267324.tif 000010
【図９】
2004267324.tif 000011
【図１０】
2004267324.tif 000012